(57)【要約】【課題】燃料供給配管内のガスをより確実に排出して置換可能な燃焼設備の制御装置及びこれを備えた燃焼設備システム並びに燃焼設備の運転方法を提供する。【解決手段】燃焼設備の制御装置は、燃料ガスが導かれる燃料ラインと、前記燃料ラインに接続され、不活性ガスが導かれる不活性ガスラインと、前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、前記複数の燃料分岐ラインの各々にそれぞれ設けられた複数の遮断弁と、を含む燃焼設備の制御装置であって、前記接続位置よりも下流側の前記燃料ライン内のガスの前記燃料ガス又は前記不活性ガスへの置換実行時において、前記複数の遮断弁をそれぞれ開くための開指令を前記複数の遮断弁の各々に送るように構成される。【選択図】  図１
2020034246.tif 000002
【特許請求の範囲】
【請求項１】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインの各々にそれぞれ設けられた複数の遮断弁と、
を含む燃焼設備の制御装置であって、
前記接続位置よりも下流側の前記燃料ライン内のガスの前記燃料ガス又は前記不活性ガスへの置換実行時において、前記複数の遮断弁をそれぞれ開くための開指令を前記複数の遮断弁の各々に送るように構成された
ことを特徴とする燃焼設備の制御装置。
【請求項２】
前記燃焼設備は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るように構成された
ことを特徴とする請求項１に記載の燃焼設備の制御装置。
【請求項３】
前記制御装置は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るように構成された
ことを特徴とする請求項１に記載の燃焼設備の制御装置。
【請求項４】
前記燃焼設備は、
前記燃料ラインに設けられた燃料弁と、
前記不活性ガスラインに設けられた不活性ガス弁と、
を含み、
前記制御装置は、前記燃料ライン内の前記ガスから前記不活性ガスへの置換実行時、前記燃料弁を閉じ、かつ、前記不活性ガス弁を開けた状態で、前記複数の遮断弁をそれぞれ開ける指令を含む点火指令を前記バーナ制御部に送るように構成され、
前記バーナ制御部は、前記制御装置から受け取った前記点火指令に従って、前記開指令を前記複数の遮断弁の各々に送り、該遮断弁を開けるように構成された
ことを特徴とする請求項２又は３に記載の燃焼設備の制御装置。
【請求項５】
前記燃焼設備は、前記複数のバーナで形成された火炎をそれぞれ検知するための複数の火炎検出器を含み、
前記制御装置は、
前記燃料ライン内の前記ガスから前記燃料ガス又は前記不活性ガスへの置換実行時、前記複数の遮断弁をそれぞれ開ける指令を含む点火指令を前記バーナに送るように構成され、
前記複数のバーナの各々について、前記点火指令を送ってから規定時間経過後は、前記火炎検出器で火炎が検出されている間を除き、前記遮断弁を閉じるように構成された
ことを特徴とする請求項１乃至４の何れか一項に記載の燃焼設備の制御装置。
【請求項６】
前記燃焼設備は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るとともに前記点火指令を前記バーナに送るように構成された
ことを特徴とする請求項５に記載の燃焼設備の制御装置。
【請求項７】
前記制御装置は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るとともに前記点火指令を前記バーナに送るように構成された
ことを特徴とする請求項５に記載の燃焼設備の制御装置。
【請求項８】
前記燃焼設備は、前記複数のバーナで形成された火炎をそれぞれ検知するための複数の火炎検出器を含み、
前記制御装置は、
前記複数のバーナの各々に点火指令を送り、
前記開指令を前記複数の遮断弁の各々に送って該遮断弁を開き、
前記複数の遮断弁の各々が開いている状態での前記火炎検出器による検知結果に基づいて、前記燃料ライン内のガスの前記燃料ガス又は前記不活性ガスへの置換が完了したことを判断する
ように構成された
ことを特徴とする請求項１乃至７の何れか一項に記載の燃焼設備の制御装置。
【請求項９】
前記燃焼設備は、
前記燃料ラインに設けられた燃料弁と、
前記不活性ガスラインに設けられた不活性ガス弁と、
を含み、
前記制御装置は、
前記燃料ライン内の前記ガスから前記不活性ガスへの置換実行時、前記燃料弁を閉じ、かつ、前記不活性ガス弁を開けた状態で、前記開指令を前記複数の遮断弁の各々に送って該遮断弁を開き、
前記複数のバーナの各々について、前記火炎検出器により前記バーナに火炎が形成されないことを確認したとき、前記燃料ライン内の前記ガスから前記不活性ガスへの置換が完了したと判断する
ように構成されたことを特徴とする請求項８に記載の燃焼設備の制御装置。
【請求項１０】
前記複数のバーナの各々について、前記点火指令を送り、前記開指令を前記遮断弁に送り、前記火炎検出器による検知結果を取得する動作を規定回数繰り返し行い、
前記規定回数の検知結果に基づいて、前記燃料ライン内の前記ガスの前記不活性ガスへの置換が完了したことを判断する
ように構成された
ことを特徴とする請求項５乃至９の何れか一項に記載の燃焼設備の制御装置。
【請求項１１】
前記複数のバーナのうち、前記接続位置からの距離が大きい前記バーナについての前記規定回数は、該バーナよりも前記接続位置からの距離が小さい前記バーナについての前記規定回数よりも多く設定された
ことを特徴とする請求項１０に記載の燃焼設備の制御装置。
【請求項１２】
前記燃焼設備は、
前記燃料ラインに設けられた燃料弁と、
前記不活性ガスラインに設けられた不活性ガス弁と、
を含み、
前記制御装置は、
前記燃料ライン内の前記ガスから前記燃料ガスへの置換実行時、前記不活性ガス弁を閉じ、かつ、前記燃料弁を開けた状態で、前記開指令を前記複数の遮断弁の各々に送って該遮断弁を開き、
前記複数のバーナの各々について、前記火炎検出器により前記バーナに火炎が形成されたことを確認したとき、前記燃料ライン内の前記ガスの前記燃料ガスへの置換が完了したと判断する
ように構成されたことを特徴とする請求項８乃至１１の何れか一項に記載の燃焼設備の制御装置。
【請求項１３】
前記燃料ライン内の前記ガスから前記燃料ガスへの置換実行時、前記複数のバーナの各々について、前記火炎検出器により前記バーナに火炎が形成されたことが確認されるまで、前記点火指令を送り、前記開指令を前記遮断弁に送り、前記火炎検出器による検知結果を取得する動作を繰り返し行う
ように構成された
ことを特徴とする請求項１２に記載の燃焼設備の制御装置。
【請求項１４】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインにそれぞれ設けられた複数の遮断弁と、
請求項１乃至１３の何れか一項に記載の制御装置と、
を備えることを特徴とする燃焼設備システム。
【請求項１５】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインにそれぞれ設けられた複数の遮断弁と、
を含む燃焼設備の運転方法であって、
前記複数の遮断弁が開いた状態で、前記接続位置よりも下流側の前記燃料ライン内のガスを前記燃料ガス又は前記不活性ガスへ置換するステップを備える
ことを特徴とする燃焼設備の運転方法。
【発明の詳細な説明】
【技術分野】
【０００１】
本開示は、燃焼設備の制御装置及びこれを備えた燃焼設備システム並びに燃焼設備の運転方法に関する。
【背景技術】
【０００２】
バーナを含む燃焼設備において、設備の安全性の向上等のために、バーナに燃料を供給するための配管に遮断弁が設けられることがある。
【０００３】
例えば、特許文献１には、複数のバーナと、燃料が導かれる燃料本管と、燃料本管から分岐して設けられ、上述の複数のバーナの各々に燃料を供給するための複数の燃料枝管と、を含む工業炉が開示されている。燃料本管には、燃料の流量を調節するためのバルブが設けられているとともに、燃料枝管の各々には、遮断弁が設けられている。そして、遮断弁の開閉状態の切り替えにより、各バーナに通じる燃料の流路が遮断された状態と解放された状態とで切り替えられるようになっている。
【先行技術文献】
【特許文献】
【０００４】
【特許文献１】特許第６０６２０９２号公報
【発明の概要】
【発明が解決しようとする課題】
【０００５】
ところで、プラント建設直後の運転開始時や、燃焼設備のメンテナンス時等に、バーナに燃料を供給するための燃料供給配管（燃料ライン）の内部の空気又は燃料ガスを不活性ガス（窒素等）へ置換したり、あるいは、燃焼設備の運転開始時に、燃料供給配管内部の不活性ガスを燃料へ置換したりすることがある。
【０００６】
ここで、燃料供給配管に設けられる遮断弁（例えば、特許文献１の燃料枝管の各々に設けられる遮断弁）は、バーナでの燃焼時と、点火プラグを用いてバーナに点火するときに限って開けられ、それ以外のときには閉じたままとなるように制御するのが通常である。すなわち、このような制御によれば、燃料供給配管の内部のガスの置換を行うときには、上述の遮断弁は閉じられたままである。
そこで、燃料供給配管に遮断弁が設けられた燃焼設備では、燃料供給配管の内部のガスの置換を行うために、遮断弁の上流側に排出管を設け、この排出管を介して、配管内のガスを排出し、不活性ガスや燃料ガスに置換するのが通常であった。
【０００７】
しかしながら、この場合、排出管と遮断弁の間、及び、遮断弁よりもバーナ側（下流側）に存在するガスを排出することは難しく、燃料供給配管内のガスの置換をしても、置換前に配管内に存在していたガスの一部が残存してしまう場合があった。
【０００８】
上述の事情に鑑みて、本発明の少なくとも一実施形態は、燃料供給配管（燃料ライン）内のガスをより確実に排出して置換可能な燃焼設備の制御装置及びこれを備えた燃焼設備システム並びに燃焼設備の運転方法を提供することを目的とする。
【課題を解決するための手段】
【０００９】
本発明の少なくとも一実施形態に係る燃焼設備の制御装置は、
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインの各々にそれぞれ設けられた複数の遮断弁と、
を含む燃焼設備の制御装置であって、
前記接続位置よりも下流側の前記燃料ライン内のガスの前記燃料ガス又は前記不活性ガスへの置換実行時において、前記複数の遮断弁をそれぞれ開くための開指令を前記複数の遮断弁の各々に送るように構成される。
【発明の効果】
【００１０】
本発明の少なくとも一実施形態によれば、燃料供給配管（燃料ライン）内のガスをより確実に排出して置換可能な燃焼設備の制御装置及びこれを備えた燃焼設備システム並びに燃焼設備の運転方法が提供される。
【図面の簡単な説明】
【００１１】
【図１】一実施形態に係る制御装置を含む燃焼設備システムの概略構成図である。
【図２】一実施形態に係る燃焼設備の制御方法を示すフローチャートである。
【図３】一実施形態に係る燃焼設備の制御方法を示すフローチャートである。
【図４】一実施形態に係る燃焼設備の制御方法を示すフローチャートである。
【図５】図２〜図４における処理Ａのフローチャートである。
【発明を実施するための形態】
【００１２】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００１３】
まず、幾つかの実施形態に係る制御装置を含む燃焼設備システムについて説明する。図１は、一実施形態に係る制御装置を含む燃焼設備システムの概略構成図である。
図１に示す燃焼設備システム１は、複数のバーナ１０を含む燃焼設備２と、燃焼設備２を制御するための制御装置１００と、を備えている。
なお、図１に示す燃焼設備システム１は、第１バーナ、第２バーナ、第３バーナ等を含む複数のバーナ１０を備えている。以下、複数のバーナ１０（第１バーナ、第２バーナ、…等）を総称してバーナ１０ということがある。
【００１４】
図１に示すように、燃焼設備２は、燃料ガスが導かれる燃料ライン２０と、燃料ライン２０から分岐する複数の燃料分岐ライン２４と、空気が導かれる空気ライン３０と、空気ライン３０から分岐する複数の空気分岐ライン３４と、不活性ガスが導かれる不活性ガスライン４０と、を含んでいる。
【００１５】
複数のバーナ１０の各々は、不図示の点火装置（点火トランス等）を有しており、燃料ライン２０及び燃料分岐ライン２４を介して供給される燃料ガスと、空気ライン３０及び空気分岐ライン３４を介して供給される空気との混合気に上述の点火装置で点火することで、燃料ガスを燃焼させるように構成されている。
また、複数のバーナ１０の各々には、該バーナ１０で形成された火炎を検知するための火炎検出器６０が設けられている。
【００１６】
複数の燃料分岐ライン２４は、燃料ライン２０と不活性ガスライン４０との接続位置よりも下流側において燃料ライン２０から分岐しており、燃料ライン２０からの燃料ガスを複数のバーナ１０にそれぞれ供給するように構成されている。
【００１７】
燃料ライン２０には燃料弁２２が設けられており、該燃料弁２２の開度を調節することで、複数の燃料分岐ライン２４をそれぞれ介して複数のバーナ１０に供給される燃料ガスの供給量を調節可能になっている。
なお、燃料ライン２０には、燃料ライン２０の圧力を計測するための圧力センサ５２と、燃料ライン２０におけるガス流量を計測するための流量計５６が設けられている。
また、複数の燃料分岐ライン２４の各々には遮断弁２６が設けられており、該遮断弁２６の開閉を切替えることで、各バーナ１０に燃料が供給される供給状態と、各バーナ１０への燃料の供給が遮断された遮断状態との間で切り替えられるようになっている。
【００１８】
空気分岐ライン３４は、空気ライン３０から分岐しており、空気ライン３０からの空気を複数のバーナ１０にそれぞれ供給するように構成されている。
空気ライン３０には空気弁３２が設けられており、該空気弁３２の開度を調節することで、複数の空気分岐ライン３４をそれぞれ介して複数のバーナ１０に供給される空気の供給量を調節可能になっている。
なお、空気ライン３０には、空気ライン３０の圧力を計測するための圧力センサ５４と、空気ライン３０におけるガス流量を計測するための流量計５８が設けられている。
【００１９】
不活性ガスライン４０には、不活性ガス弁４２が設けられており、不活性ガス弁４２を切替えることで、不活性ガスライン４０から燃料ライン２０への不活性ガスの供給状態を切替え可能になっている。
不活性ガスライン４０に導かれる不活性ガスは、例えば窒素又はアルゴン等の希ガスであってもよい。以下に説明する実施形態では、不活性ガスとして窒素が採用される。
【００２０】
燃焼設備システム１は、複数のバーナ１０を制御するためのバーナ制御部１０２と、バーナ制御部１０２を制御するための上位制御部１０１と、をさらに備えている。
【００２１】
バーナ制御部１０２は、バーナ１０の点火や消火等の制御をするようになっており、バーナ１０（又は点火装置）に対して点火指令を送る役割や、遮断弁２６に対して開閉指令を送る役割等を有する。また、バーナ制御部１０２は、火炎検出器６０での検出結果を受け取るように構成される。
なお、以下に説明する実施形態では、燃焼設備システム１は、複数のバーナ１０をそれぞれ制御するための複数のバーナ制御部１０２を備えているが、燃焼設備システム１は、複数のバーナ１０を統合的に制御するための１又は２以上のバーナ制御部１０２を備えていてもよい。
【００２２】
上位制御部１０１は、バーナ制御部１０２及び燃焼設備２全体を制御するようになっており、燃料弁２２及び空気弁３２の開度調節により複数のバーナ１０に供給される燃料ガスや空気の流量を調節したり、バーナ制御部１０２に対してバーナ１０に点火するための指令を送ったりするようになっている。
また、詳しくは後述するが、上位制御部１０１は、燃焼設備２の置換モード（後述）での運転時には、燃料ライン２０内のガスを置換するため、上述した燃料弁２２、空気弁３２及びバーナ制御部１０２の制御に加え、不活性ガス弁４２の開閉制御を行うようになっている。
上位制御部１０１は、圧力センサ５２，５４及び流量計５６，５８の検出結果を受け取るように構成されている。
【００２３】
幾つかの実施形態に係る制御装置１００は、例えば図１に示すように、上位制御部１０１と、バーナ制御部１０２と、を含む。
あるいは、幾つかの実施形態に係る制御装置１００は上位制御部１０１を含み、該上位制御部１０１を含む制御装置１００とは別に、バーナ制御部１０２が設けられていてもよい。この場合、バーナ制御部１０２は燃焼設備２に含まれていてもよいし、制御装置１００及び燃焼設備２以外の別の装置に含まれていてもよい。但し、バーナ制御部１０２が制御装置１００（上位制御部１０１）と、遮断弁２６を開けるための開指令や該開指令を含む点火指令を授受する場合は、バーナ制御部１０２は制御装置１００に含まれるとみなすことができる。
【００２４】
次に、燃焼設備２の置換モードでの運転時における制御装置１００による制御について説明する。
【００２５】
燃焼設備２の置換モードとは、燃料ライン２０と不活性ガスライン４０との接続位置よりも下流側の燃料ライン２０内のガスを他のガスに置換する運転モードのことであり、主な置換モードとして、燃料ライン２０内の空気を不活性ガスに置換する空気置換モード、燃料ライン２０内の不活性ガス（例えば窒素）を燃料に置換する不活性ガス置換モード（例えば、窒素置換モード）、及び、燃料ライン２０内の燃料ガスを不活性ガス（例えば窒素）に置換する燃料置換モード、の３つが挙げられる。
【００２６】
なお、以下の説明では、不活性ガスとして窒素を用いた例を説明する。すなわち、上述の３つの置換モードのうちの不活性ガス置換モードは、以下に説明する実施形態においては窒素置換モードである。
【００２７】
空気置換モードは、例えばプラント建設後に燃焼設備の運転を初めて行うとき等に、燃料ライン２０内の空気を窒素に置換して、該燃料ライン２０に燃料ガスを供給するための準備を行う目的で使用する。空気置換モードを使うことにより、燃料ライン２０及び燃料分岐ライン２４の中で空気と燃料ガスとが混合することを防止し、燃料ライン２０及び燃料分岐ライン２４内での火炎の形成又は爆発を防止することが出来る。
【００２８】
窒素置換モードは、例えば上述の空気置換モードの実施後又は後述の燃料置換モード実施後（メンテナンス終了後等）等に、燃料ライン２０内の窒素を燃料に置換して、バーナ１０を点火させるための準備を行う目的で使用する。窒素置換モードを使うことにより、燃料ライン２０及び燃料分岐ライン２４の中に安全に燃料ガスを通し、バーナ１０の点火の準備を整えることができる。
【００２９】
燃料置換モードは、例えば、通常運転中（すなわちバーナ１０燃焼中）の燃焼設備２を一旦停止して、メンテナンスを開始するとき等に、燃料ライン２０内の燃料ガスを窒素に置換して、配管のメンテナンス等を安全に行えるようにすることを目的で使用する。燃料置換モードを使うことにより、燃料ライン２０及び燃料分岐ライン２４の中で、空気と燃料ガスとが混合することを防止し、燃料ライン２０及び燃料分岐ライン２４内での火炎の形成又は爆発を防止することが出来る。
【００３０】
制御装置１００は、燃料ライン２０と不活性ガスライン４０との接続位置よりも下流側の燃料ライン２０内のガスの燃料ガス又は不活性ガスへの置換実行時（即ち置換モードでの運転時）において、複数の遮断弁２６をそれぞれ開くための開指令を複数の遮断弁２６の各々に送るように構成されている。
図１に示す例示的な実施形態では、上述の開指令は、バーナ制御部１０２を介して、複数の遮断弁２６の各々に送られるようになっている。
【００３１】
通常、バーナに燃料を供給する燃料供給配管に設けられる遮断弁は、バーナでの燃焼時と、点火プラグを用いてバーナに点火するときに限って開けられ、それ以外のときには閉じたままとなるように制御される。すなわち、このような制御によれば、燃料供給配管の内部のガスの置換を行うときには、上述の遮断弁は閉じられたままである。図１に示す例示的な実施形態においても、規格等の要請により、バーナ制御部１０２によって、このように遮断弁２６を制御する場合がある。
【００３２】
この点、上述の実施形態によれば、燃料ライン２０内のガスの置換実行時に、各燃料分岐ライン２４に設けられた遮断弁２６を開くようにしたので、上述の置換実行時に、燃料ライン２０及び燃料分岐ライン２４内に存在するガスを、遮断弁２６を介して燃料分岐ライン２４の下流側に向けて排出することができる。
なお、バーナ制御部１０２によって、遮断弁２６を閉じるように制御しているタイミングであっても、上位制御部１０１からの指令により、バーナ制御部１０２を介して、複数の遮断弁２６の各々に開指令を送ることで、遮断弁２６を開けることができる。これにより、上述の置換実行時に、バーナ制御部１０２での制御によれば遮断弁２６を閉とするタイミングであっても、燃料ライン２０及び燃料分岐ライン２４内に存在するガスを、遮断弁２６を介して燃料分岐ライン２４の下流側に向けて排出することができる。
よって、従来のように遮断弁２６よりも上流側に排出管を設けて排出する場合に比べ、排出管と遮断弁との間のガスや、遮断弁よりもバーナ側（下流側）のガスをより確実に排出して、燃料ガス又は不活性ガスに置換することができる。
【００３３】
幾つかの実施形態では、制御装置１００は、燃料ライン２０内のガスの置換実行時、複数の遮断弁２６をそれぞれ開ける指令を含む点火指令を、バーナ制御部１０２に送るように構成されていてもよい。
より具体的には、燃料ライン２０内のガスから不活性ガスへの置換実行時には、燃料弁２２を閉じ、不活性ガス弁４２を開けた状態で、上述の点火指令をバーナ制御部１０２に送るようにしてもよい。あるいは、燃料ライン２０内のガスから燃料ガスへの置換実行時には、不活性ガス弁４２を閉じ、燃料弁２２を開けた状態で、上述の点火指令をバーナ制御部１０２に送るようにしてもよい。
【００３４】
図１に示す例示的な実施形態では、上位制御部１０１は、バーナ１０を点火する指令である上位点火指令を各バーナ制御部１０２に送るようになっていてもよい。そして、上位点火指令を受けたバーナ制御部１０２の各々は、遮断弁２６を開ける開指令を遮断弁２６に送るとともに、バーナ１０に点火する下位点火指令をバーナ１０の点火装置に送るようになっていてもよい。
この場合、制御装置１００から複数のバーナに送る点火指令は、上位制御部１０１からバーナ制御部１０２に送られる上位点火指令と、バーナ制御部１０２からバーナ１０に送られる下位点火指令と、を含む。
また、上位制御部１０１からバーナ制御部１０２への上位点火指令は、バーナ制御部１０２からの開指令及び下位点火指令を含むものとみなすことができる。
【００３５】
幾つかの実施形態では、制御装置１００（図１に示す実施形態では、バーナ制御部１０２）は、複数のバーナ１０の各々について、点火指令を送ってから規定時間経過後は、火炎検出器６０で火炎が検出されている間を除き、遮断弁２６を閉じるように構成される。
【００３６】
上述した実施形態に係る制御装置１００（図１におけるバーナ制御部１０２）は、火炎検出器６０で火炎が検出されないときには遮断弁２６を閉じてバーナ１０への燃料供給を停止する、という安全装置としての機能を備えている。よって、上記実施形態によれば、制御装置１００（図１におけるバーナ制御部１０２）の安全装置としての機能により、通常運転中（バーナ燃焼中）における失火対策をしながら、燃料ライン２０内のガスの燃料ガス又は不活性ガスへの置換を適切に行うことができる。
【００３７】
幾つかの実施形態では、制御装置１００は、複数のバーナ１０の各々に点火指令を送り、開指令を複数の遮断弁２６の各々に送って該遮断弁２６を開き、複数の遮断弁２６の各々が開いている状態での火炎検出器６０による検知結果に基づいて、燃料ライン２０内のガスの燃料ガス又は前記不活性ガスへの置換が完了したことを判断するように構成される。
【００３８】
上述の実施形態によれば、燃料ライン２０内のガスの置換実行時に、遮断弁２６が開いている状態で、バーナ１０に点火指令を送ってバーナ１０の点火を試みながら火炎検出器６０でバーナの火炎を検知するようにしたので、火炎検出器６０での検出結果から、火炎が形成されたか否かを確認することにより、燃料ライン２０内のガスの燃料ガス又は不活性ガスへの置換が完了したか否かを適切に判断することができる。
【００３９】
以下、図２〜図５を参照して、図１に示す燃焼設備システム１における、上述した３つの置換モード（空気置換モード、窒素置換モード及び燃料置換モード）での燃焼設備２の制御方法についてより具体的に説明する。
図２〜図４は、一実施形態に係る燃焼設備の制御方法を示すフローチャートであり、主に、上位制御部１０１での制御を示すフローチャートであり、それぞれ、空気置換モード、窒素置換モード、及び、燃料置換モードでの制御を示すフローチャートである。図５は、バーナ制御部１０２での制御を示すフローチャートであり、図２〜図４における処理Ａのフローチャートである。
また、上位制御部１０１は、バーナ制御部１０２の機能を有するものであってもよい。この場合、上位制御部１０１を制御装置１００とみなすことができ、各弁の開閉指令やバーナ１０の点火指令を出すものとする。
【００４０】
（１．空気置換モード：Ｓ１００）
空気置換モードＳ１００（図２参照）では、初期状態では、燃料ライン２０のうち燃料弁２２よりも下流側は、空気で満たされている。
図２に示すように、上位制御部１０１は、まず、燃料弁２２が閉じていることを確認し、あるいは、燃料弁２２が開いていれば閉じる（ステップＳ１０２）。また、空気弁３２が開いていることを確認し、あるいは、空気弁３２が閉じていれば開く（ステップＳ１０４）。なお、空気置換モードにおいては、空気弁３２は必ずしも開いている必要はなく、閉じていてもよい（すなわち、ステップＳ１０４は省略可能である）。
次に、不活性ガスライン４０に窒素を流すため、不活性ガス弁４２を開ける（ステップＳ１０６）。
【００４１】
ここで、バーナ制御部１０２では、燃焼設備２の通常運転時（バーナ燃焼時）にバーナ１０で燃焼を継続することを許可しないときの条件（アラーム条件）が設定されており、このアラーム条件が満たされていると、バーナ１０での燃焼を行わないように、例えば遮断弁２６を閉じるように制御が行われるようになっている。上述のアラーム条件とは、例えば、燃料弁２２が開いていないこと、等である。
そこで、置換モードを行うために、上位制御部１０１は、バーナ制御部１０２に対し、上述のアラーム条件を解除するため、バーナ点火の条件が整っていることを示すダミー信号を送る（Ｓ１０８）。これにより、後続のステップで、燃料弁２２が開いていなくても、燃料ライン２０のガスの置換のためにバーナ１０に点火指令を出したときに、点火が行えるようになる。ここで、Ｓ１０４からＳ１０８の順番は上記の通りでなくても良い。
【００４２】
次に、燃料弁２２を閉じ、かつ、不活性ガス弁４２を開けた状態で、点火指令を各バーナ１０に送り、開指令を複数の遮断弁２６の各々に送って該遮断弁２６を開き、各バーナ１０での火炎検出器６０による検知結果を取得する動作を規定回数行う（ステップＳ１１０〜Ｓ１１８）。そして、上述の規定回数の検知結果に基づいて、燃料ライン２０内の空気の窒素への置換が完了したことを判断する（Ｓ１２２）。
また、これらのステップＳ１１０〜Ｓ１１８は、複数のバーナ１０及びバーナ制御部１０２にて並列に実行される。
【００４３】
各ステップについて説明すると、ステップＳ１１０では、上述の規定回数を設定している。規定回数は、不活性ガスライン４０から供給される窒素の流速や、燃料ライン２０及び燃料分岐ライン２４の内部空間の体積等を考慮して、置換が完了するのに十分な回数が定められる。図２においては、規定回数（ｘ回）として２０回を設定し、次の点火操作（ｎ回目の点火操作）がそのうち１回目であることを定義している。
【００４４】
ステップＳ１１２では、各バーナ制御部１０２のロックアウトを解除する。バーナ制御部１０２のロックアウトとは、通常運転時に、バーナ制御部１０２が失火検知等によってバーナ１０での燃焼動作を停止した後、条件が変わっても自動的に点火しないようにバーナ１０の停止状態を保持するための機能である。置換モード実行時には、バーナ１０の失火が検知されたとしても、燃料ライン２０内のガスの置換を行うため、各バーナ制御部１０２のロックアウトを解除して、ロックアウトが機能しないようにする。
【００４５】
ステップＳ１１４では、制御装置１００から複数のバーナ１０へ点火指令を送る。より具体的には、上位制御部１０１から、上位点火指令を、各バーナ制御部１０２へ送り、各バーナ１０への点火を開始させる。
ここで、バーナ制御部１０２では、以下に説明する処理Ａ（Ｓ５００；図５参照）が行われる。
【００４６】
（バーナ制御部１０２側の処理Ａ：Ｓ５００）
図５に示すように、バーナ制御部１０２において、上位制御部１０１からの点火指令（上位点火指令）を受け取ったら（ステップＳ５０２のＹｅｓ）、次のステップＳ５０４に進む。一方、上位制御部１０１からの点火指令（上位点火指令）が解除されたら（ステップＳ５０２のＮｏ）、燃料分岐ライン２４の遮断弁２６を閉じて、バーナ１０での燃焼を終了させる。
【００４７】
ステップＳ５０４では、バーナ制御部１０２は、バーナ点火のための条件（燃焼空気圧力やガスの圧力等の条件）が整っているかを確認する。具体的には、上述のアラーム条件が満たされているか、または、ロックアウトされているかを確認する。
なお、空気置換モードでは、上述のステップＳ１０８でアラーム条件が解除され、ステップＳ１１２でバーナ制御部１０２のロックアウトが解除されているため、仮に、バーナ１０の燃焼空気圧力やガスの圧力等の条件が通常燃焼時とは異なっていたとしても、アラームは無く、ロックアウトはされていないと判断され（ステップＳ５０４のＮｏ）、次のステップＳ５０６に進む。
【００４８】
次に、バーナ制御部１０２は、遮断弁２６に対して開指令を送り、遮断弁２６を開ける（ステップＳ５０６）。
そして、その直後から、点火指令（下位点火指令）を点火装置に送り、点火のためのスパークを予め設定された時間Ｘ秒間（例えば１０秒間）発生させて点火を試み（ステップＳ５０８）、スパークを停止させる（ステップＳ５１０）。
ステップＳ５０６とステップＳ５０８は順番が逆になっても良く、点火のためのスパークを発生後、遮断弁２６を開けるようにしても良い。
スパーク停止後、火炎の形成の有無を火炎検出器６０で識別する（ステップＳ５１２）。火炎の形成が確認できている間は（ステップＳ５１２のＹｅｓ）、次のステップに進まず、火炎の形成が確認できていることを示す点火信号を上位制御部１０１へ出力し続ける（ステップＳ５１４）。なお、空気置換モードでは、燃料ライン２０及び燃料分岐ライン２４には、燃料ガスは基本的には存在しないため、本ステップＳ５１４では、通常は、火炎の形成は確認されないはずである。
【００４９】
一方、火炎の形成が確認できない場合は（ステップＳ５１２のＮｏ）、次のステップＳ５１６に進む。この場合、遮断弁を閉じ（ステップＳ５１６）、さらに、バーナ制御部１０２をロックアウトさせる（ステップＳ５１８）。そして、バーナ１０での燃焼が停止したこと、あるいは、火炎が形成されていないことを示す失火信号を上位制御部１０１へ出力する（ステップＳ５２０）。
ここで、上位制御部１０１側でのステップ（図２参照）に戻る。
【００５０】
図２に戻り、上位制御部１０１は、バーナ制御部１０２からの失火信号（バーナ１０で火炎が形成されておらず、遮断弁２６が閉じられたことを示す信号）を受けたら（ステップＳ１１６のＮｏ）、次のステップに進む。
そして、上記ステップＳ１１２〜Ｓ１１８を、ｘ回（ここでは２０回）繰り返して行う（ステップＳ１１８〜Ｓ１２０）。
【００５１】
そして、複数のバーナ１０及びバーナ制御部１０２の全てにおいて、上述のステップＳ１１０〜Ｓ１１８を実施したら（ステップＳ１２２のＹｅｓ）、次のステップＳ１２４に進む。
【００５２】
以上のステップにより、燃料ライン２０内の空気が窒素に置換されたので、不活性ガス弁４２を閉める（Ｓ１２４）。また、置換モードを実施するためにステップＳ１０８で一時的に解除したアラーム条件を復旧させる（ステップＳ１２６）。そして、燃料ライン２０内の空気の窒素への置換が完了したことをディスプレイ等に表示し（ステップＳ１２８）、空気置換モードＳ１００を終了する。
【００５３】
バーナ制御部１０２の制御では、バーナ１０で火炎が形成されないときには、遮断弁は通常閉じられるので（ステップＳ５１６等参照）、バーナで火炎が形成されなければ、上述の開指令により遮断弁２６を開けた状態で維持できる時間は限定される。
この点、上述した実施形態では、複数のバーナ１０の各々について、バーナ１０に点火指令を送り、開指令を遮断弁２６に送り、火炎検出器６０による検知結果を取得する動作を規定回数（ｘ回）繰り返し行う（ステップＳ１１０〜１１８）。
したがって、開指令により遮断弁２６を開けた状態として維持できる時間が限定されるにもかかわらず、十分な回数だけ上述の動作を繰り返すことにより、燃料ライン２０内のガスの置換を適切に行うことができる。
また、上述の規定回数（ｘ回）を十分に大きな回数に設定することで、燃料ライン２０内のガスの置換の完了を適切に判断することができる。
【００５４】
幾つかの実施形態では、複数のバーナ１０のうち、燃料ライン２０と不活性ガスライン４０との接続位置からの距離が大きいバーナ１０についての規定回数（ｘ回）は、該バーナ１０よりも該接続位置からの距離が小さいバーナ１０についての規定回数（ｘ回）よりも多く設定される。
【００５５】
この場合、上述の接続位置からの距離が大きい（置換すべきガス量が多い）バーナ１０ほど、上述の置換実行時に遮断弁２６に開指令を送る回数を多く設定し、すなわち、遮断弁２６が開状態となっている時間が長くなるようにしたので、燃料ライン２０内のガスの置換完了の判断をより適切に行うことができる。
【００５６】
（２．窒素置換モード：Ｓ２００）
窒素置換モードＳ２００（図３参照）では、初期状態では、燃料ライン２０のうち燃料弁２２よりも下流側は、窒素で満たされている。
図３に示すように、上位制御部１０１は、まず、燃料ライン２０内の窒素への置換が完了していることを確認する。（ステップＳ２０１）。窒素弁４２（不活性ガス弁４２）が閉じていることを確認し、あるいは、窒素弁４２が開いていれば閉じる（ステップＳ２０２）。また、燃料弁２２が開いていることを確認し、あるいは、燃料弁２２が閉じていれば開く（ステップＳ２０４）。また、空気弁３２が開いていることを確認し、あるいは、空気弁３２が閉じていれば開く（ステップＳ２０６）。
【００５７】
次に、置換モードを行うために、上位制御部１０１は、バーナ制御部１０２に対し、上述のアラーム条件を解除するため、バーナ点火の条件が整っていることを示すダミー信号を送る（Ｓ２０８）。これにより、後続のステップで、図示していないバーナ１０により被加熱物の条件等が整っていなくても、燃料ライン２０のガスの置換のためにバーナ１０に点火指令を出したときに、点火が行えるようになる。ここで、Ｓ２０４からＳ２０８の順番は上記の通りでなくても良い。
【００５８】
次に、窒素弁４２を閉じ、かつ、燃料弁２２を開けた状態で、点火指令を各バーナ１０に送り、開指令を複数の遮断弁２６の各々に送って該遮断弁２６を開き、各バーナ１０での火炎検出器６０による検知結果を取得する動作を繰り返し行う（ステップＳ２１０〜Ｓ２１４）。そして、上述の検知結果に基づいて、燃料ライン２０内の窒素の燃料ガスへの置換が完了したことを判断する（Ｓ２１６）。
また、上述のステップＳ２１０〜Ｓ２１４は、複数のバーナ１０及びバーナ制御部１０２にて並列に実行される。
【００５９】
各ステップについて説明すると、ステップＳ２１０では、各バーナ制御部１０２のロックアウトを解除する。置換モード実行時には、バーナ１０の失火が検知されたとしても、燃料ライン２０内のガスの置換を行うため、各バーナ制御部１０２のロックアウトを解除して、ロックアウトが機能しないようにする。
【００６０】
ステップＳ２１２では、制御装置１００から複数のバーナ１０へ点火指令を送る。より具体的には、上位制御部１０１から、上位点火指令を、各バーナ制御部１０２へ送り、各バーナ１０への点火を開始させる。
【００６１】
ここで、バーナ制御部１０２では、上述した処理Ａ（Ｓ５００；図５参照）が行われる。
バーナ制御部１０２側での処理Ａが終了したら、上位制御部１０１側でのステップ（図３参照）に戻る。
【００６２】
図３に戻り、上位制御部１０１は、バーナ制御部１０２からの失火信号（バーナ１０で火炎が形成されておらず、遮断弁２６が閉じられたことを示す信号）を受けたら（ステップＳ２１４のＮｏ）、バーナ制御部１０２から点火信号を受け取るまで、ステップＳ２１０〜２１２を繰り返し行う。一方、バーナ制御部１０２からの点火信号（バーナ１０で火炎が形成されたことを示す信号）を受けたら（ステップＳ２１４のＹｅｓ）、次のステップに進む。なお、ステップＳ２１４で、バーナ制御部１０２から点火信号を受け取ったら、そのバーナ制御部１０２に対応する燃料分岐ライン２４において、窒素から燃料ガスへの置換が完了したと判断することができる。
【００６３】
そして、複数のバーナ１０及びバーナ制御部１０２の全てにおいて、上述のステップＳ２１０〜Ｓ２１４を実施し、全てのバーナ１０制御部から点火信号を受け取ったら、燃料ライン２０の窒素から燃料ガスへの置換が完了したと判断し（ステップＳ２１６のＹｅｓ）、次のステップＳ２１８に進む。
【００６４】
以上のステップにより、燃料ライン２０内の窒素が燃料ガスに置換されたので、燃料弁２２及び空気弁３２を閉める（Ｓ２１８、Ｓ２２０）。
また、各バーナ制御部１０２に対する点火指令（上位点火指令）を解除する（Ｓ２２２）。このとき、バーナ制御部１０２側では、図５のフローチャートに示すように、点火指令が解除されるため（ステップＳ５０２のＮｏ）、遮断弁を閉じるステップに進む（ステップＳ５２２）。ここでＳ２１８、Ｓ２２０、Ｓ２２２の順番は、この通りでなくても良く、例えばＳ２２２、Ｓ２１８、Ｓ２２０のようにプログラムされても良い。
再度図３に戻り、置換モードを実施するためにステップＳ２０８で一時的に解除したアラーム条件を復旧させる（ステップＳ２２４）。そして、燃料ライン２０内の窒素の燃料ガスへの置換が完了したことをディスプレイ等に表示し（ステップＳ２２６）、窒素置換モードＳ２００を終了する。
【００６５】
上述した実施形態（窒素置換モード）では、窒素弁４２（不活性ガス弁４２）を閉じ、かつ、燃料弁２２を開けた状態で、制御装置１００から開指令を複数の遮断弁２６の各々に送って該遮断弁２６を何度も開くようにしたので、燃料ライン２０内の窒素から燃料ガスへの置換を適切に行うことができる。
また、上述した実施形態では、複数のバーナ１０の各々について、火炎検出器６０によりバーナ１０に火炎が形成されたことを確認することにより、燃料ライン２０内の窒素の燃料ガスへの置換が完了したことを適切に判断することができる。
よって、燃料ライン２０内の窒素を確実に排出して、燃料ガスに置換することができる。
【００６６】
また、上述した実施形態では、燃料ライン２０内の窒素から燃料ガスへの置換実行時、複数のバーナ１０の各々について、火炎検出器６０によりバーナ１０に火炎が形成されたことが確認されるまで、バーナ１０に点火指令を送り、開指令を遮断弁２６に送り、火炎検出器６０による検知結果を取得する動作を繰り返し行う。よって、燃料ライン２０内の窒素の燃料ガスへの置換が完了したことを適切に判断することができる。
【００６７】
（３．燃料置換モード：Ｓ３００）
燃料置換モードＳ３００（図４参照）では、初期状態では、燃料ライン２０のうち燃料弁２２よりも下流側は、燃料ガスで満たされている。
図４に示すように、上位制御部１０１は、まず、燃料弁２２が閉じていることを確認し、あるいは、燃料弁２２が開いていれば閉じる（ステップＳ３０２）。また、空気弁３２が開いていることを確認し、あるいは、空気弁３２が閉じていれば開く（ステップＳ３０４）。また、窒素弁４２（不活性ガス弁４２）が開いていることを確認し、あるいは、窒素弁４２が閉じていれば開く（ステップＳ３０６）。
【００６８】
次に、置換モードを行うために、上位制御部１０１は、バーナ制御部１０２に対し、上述のアラーム条件を解除するため、バーナ点火の条件が整っていることを示すダミー信号を送る（Ｓ３０８）。これにより、後続のステップで、燃料弁２２が開いていなくても、燃料ライン２０のガスの置換のためにバーナ１０に点火指令を出したときに、点火が行えるようになる。ここで、Ｓ３０４からＳ３０８の順番は上記の通りでなくても良い。
【００６９】
次に、燃料弁２２を閉じ、かつ、窒素弁４２を開けた状態で、開指令を複数の遮断弁２６の各々に送って該遮断弁２６を開き、点火指令を各バーナ１０に送り、各バーナ１０での火炎検出器６０による検知結果を取得する動作を繰り返し行う（ステップＳ３１０〜Ｓ３１４）。そして、上述の検知結果に基づいて、燃料ライン２０内の燃料ガスの窒素への置換が完了したことを判断する（Ｓ３１６）。
また、上述のステップＳ３１０〜Ｓ３１４は、複数のバーナ１０及びバーナ制御部１０２にて並列に実行される。
【００７０】
各ステップについて説明すると、ステップＳ３１０では、各バーナ制御部１０２のロックアウトを解除する。置換モード実行時には、バーナ１０の失火が検知されたとしても、燃料ライン２０内のガスの置換を行うため、各バーナ制御部１０２のロックアウトを解除して、ロックアウトが機能しないようにする。
【００７１】
ステップＳ３１２では、制御装置１００から複数のバーナ１０へ点火指令を送る。より具体的には、上位制御部１０１から、上位点火指令を、各バーナ制御部１０２へ送り、各バーナ１０への点火を開始させる。
【００７２】
ここで、バーナ制御部１０２では、上述した処理Ａ（Ｓ５００；図５参照）が行われる。
バーナ制御部１０２側での処理Ａが終了したら、上位制御部１０１側でのステップ（図４参照）に戻る。
【００７３】
図４に戻り、上位制御部１０１は、バーナ制御部１０２からの点火信号（バーナ１０で火炎が形成されたことを示す信号）を受けたら（ステップＳ３１４のＹｅｓ）、バーナ制御部１０２から失火信号を受け取るまで待機する。
なお、ステップＳ３１４で、バーナ制御部１０２から失火信号を受け取ったら、そのバーナ制御部１０２に対応する燃料分岐ライン２４において、燃料ガスから窒素への置換が完了したと判断することができる。
【００７４】
そして、複数のバーナ１０及びバーナ制御部１０２の全てにおいて、上述のステップＳ３１０〜Ｓ３１４を実施し、全てのバーナ１０制御部から失火信号を受け取ったら、燃料ライン２０の燃料ガスから窒素への置換が完了したと判断し（ステップＳ３１６のＹｅｓ）、次のステップＳ３１８に進む。
【００７５】
以上のステップにより、燃料ライン２０内の燃料ガスが窒素に置換されたので、窒素弁４２を閉める（Ｓ３１８）。
また、各バーナ制御部１０２に対する点火指令（上位点火指令）を解除する（Ｓ３２２）。このとき、バーナ制御部１０２側では、図５のフローチャートに示すように、点火指令が解除されるため（ステップＳ５０２のＮｏ）、遮断弁を閉じるステップに進む（ステップＳ５２２）。
再度図４に戻り、置換モードを実施するためにステップＳ３０８で一時的に解除したアラーム条件を復旧させる（ステップＳ３２２）。そして、燃料ライン２０内の燃料ガスの窒素への置換が完了したことをディスプレイ等に表示し（ステップＳ３２４）、燃料置換モードＳ３００を終了する。
【００７６】
上述した実施形態（燃料置換モード）では、燃料弁２２を閉じ、かつ、窒素弁４２（不活性ガス弁４２）を開けた状態で、制御装置１００から開指令を複数の遮断弁２６の各々に送って該遮断弁２６を開くようにしたので、燃料ライン２０内の燃料ガスから窒素への置換を適切に行うことができる。
また、上述の実施形態では、複数のバーナ１０の各々について、火炎検出器６０によりバーナ１０の火炎が消火されたことが確認されるまで、バーナ１０に点火指令を送り、火炎検出器６０による検知結果を取得する動作を繰り返し行う。よって、燃料ライン２０内の燃料ガスの窒素への置換が完了したことを適切に判断することができる。
【００７７】
以下、幾つかの実施形態に係る燃焼設備の制御装置及びこれを備えた燃焼設備システム並びに燃焼設備の運転方法について概要を記載する。
【００７８】
（１）本発明の少なくとも一実施形態に係る燃焼設備の制御装置は、
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインの各々にそれぞれ設けられた複数の遮断弁と、
を含む燃焼設備の制御装置であって、
前記接続位置よりも下流側の前記燃料ライン内のガスの前記燃料ガス又は前記不活性ガスへの置換実行時において、前記複数の遮断弁をそれぞれ開くための開指令を前記複数の遮断弁の各々に送るように構成される。
【００７９】
上記（１）の構成によれば、燃料ライン内のガスの置換実行時に、各燃料分岐ラインに設けられた遮断弁を開くようにしたので、上述の置換実行時に、燃料ライン及び燃料分岐ライン内に存在するガスを、遮断弁を介して燃料分岐ラインの下流側に向けて排出することができる。よって、遮断弁よりも上流側に排出管を設ける場合に比べ、排出管と遮断弁との間のガスや、遮断弁よりもバーナ側（下流側）のガスをより確実に排出して、燃料ガス又は不活性ガスに置換することができる。
【００８０】
（２）幾つかの実施形態では、上記（１）の構成において、
前記燃焼設備は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るように構成される。
【００８１】
上記（２）の構成によれば、燃料ライン内のガスを置換するときに、遮断弁の開閉を制御するバーナ制御部を介して、遮断弁に開指令を送ることで、各燃料分岐ラインに設けられた遮断弁を開くことができる。例えば、バーナ、遮断弁及びバーナ制御部を含む既設の燃焼設備に対して上記（２）の制御装置を追設することで、追設した制御装置から、既設のバーナ制御部を介して遮断弁に開指令を送るようにすることで、各燃料分岐ラインに設けられた遮断弁を開くことができる。よって、上記（１）で述べたように、燃料ライン及び燃料分岐ラインから置換対象のガスをより確実に排出して、燃料ガス又は不活性ガスに置換することができる。
【００８２】
（３）幾つかの実施形態では、上記（１）の構成において、
前記制御装置は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るように構成される。
【００８３】
（４）幾つかの実施形態では、上記（２）又は（３）の構成において、
前記燃焼設備は、
前記燃料ラインに設けられた燃料弁と、
前記不活性ガスラインに設けられた不活性ガス弁と、
を含み、
前記制御装置は、前記燃料ライン内の前記ガスから前記不活性ガスへの置換実行時、前記燃料弁を閉じ、かつ、前記不活性ガス弁を開けた状態で、前記複数の遮断弁をそれぞれ開ける指令を含む点火指令を前記バーナ制御部に送るように構成され、
前記バーナ制御部は、前記制御装置から受け取った前記点火指令に従って、前記開指令を前記複数の遮断弁の各々に送り、該遮断弁を開けるように構成される。
【００８４】
上記（４）の構成によれば、上述の置換実行時に、燃料弁を閉じ、かつ、不活性ガス弁を開けた状態で、遮断弁を開くようにしたので、燃料ライン内のガスの置換を適切に行うことができる。よって、上記（１）で述べたように、燃料ライン内のガスを確実に排出して、不活性ガスに置換することができる。
【００８５】
（５）幾つかの実施形態では、上記（１）乃至（４）の何れかの構成において、
前記燃焼設備は、前記複数のバーナで形成された火炎をそれぞれ検知するための複数の火炎検出器を含み、
前記制御装置は、
前記燃料ライン内の前記ガスから前記燃料ガス又は前記不活性ガスへの置換実行時、前記複数の遮断弁をそれぞれ開ける指令を含む点火指令を前記バーナに送るように構成され、
前記複数のバーナの各々について、前記点火指令を送ってから規定時間経過後は、前記火炎検出器で火炎が検出されている間を除き、前記遮断弁を閉じるように構成される。
【００８６】
（６）幾つかの実施形態では、上記（５）の構成において、
前記燃焼設備は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るとともに前記点火指令を前記バーナに送るように構成される。
【００８７】
（７）幾つかの実施形態では、上記（５）の構成において、
前記制御装置は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るとともに前記点火指令を前記バーナに送るように構成される。
【００８８】
上記（５）乃至（７）の構成に係る制御装置は、火炎検出器で火炎が検出されないときには遮断弁を閉じてバーナへの燃料供給を停止する、という安全装置としての機能を備えている。よって、上記（５）乃至（７）の構成によれば、制御装置の安全装置としての機能により、通常運転中（バーナ燃焼中）における失火対策をしながら、（１）で述べたように、燃料ライン内のガスの燃料ガス又は不活性ガスへの置換をより確実に行うことができる。
【００８９】
（８）幾つかの実施形態では、上記（１）乃至（７）の何れかの構成において、
前記燃焼設備は、前記複数のバーナで形成された火炎をそれぞれ検知するための複数の火炎検出器を含み、
前記制御装置は、
前記複数のバーナの各々に点火指令を送り、
前記開指令を前記複数の遮断弁の各々に送って該遮断弁を開き、
前記複数の遮断弁の各々が開いている状態での前記火炎検出器による検知結果に基づいて、前記燃料ライン内のガスの前記燃料ガス又は前記不活性ガスへの置換が完了したことを判断する
ように構成される。
【００９０】
上記（８）の構成によれば、上述の置換実行時に、遮断弁が開いている状態で、バーナに点火指令を送ってバーナの点火を試みながら火炎検出器でバーナの火炎を検知するようにしたので、火炎検出器での検出結果から、火炎が形成されたか否か確認することにより、燃料ライン内のガスの燃料ガス又は不活性ガスへの置換が完了したか否かを適切に判断することができる。
【００９１】
（９）幾つかの実施形態では、上記（８）の構成において、
前記燃焼設備は、
前記燃料ラインに設けられた燃料弁と、
前記不活性ガスラインに設けられた不活性ガス弁と、
を含み、
前記制御装置は、
前記燃料ライン内の前記燃料ガスから前記不活性ガスへの置換実行時、前記燃料弁を閉じ、かつ、前記不活性ガス弁を開けた状態で、前記開指令を前記複数の遮断弁の各々に送って該遮断弁を開き、
前記複数のバーナの各々について、前記火炎検出器により前記バーナに火炎が形成されないことを確認したとき、前記燃料ライン内の前記燃料ガスから前記不活性ガスへの置換が完了したと判断する
ように構成される。
【００９２】
（９’）幾つかの実施形態では、上記（９）の構成において、
前記制御装置は、
前記燃料ライン内の前記燃料ガスから前記不活性ガスへの置換実行時、前記複数のバーナの各々について、前記火炎検出器により前記バーナの火炎が消火されたことが確認されるまで、前記火炎検出器による検知結果を取得する動作を繰り返し行うように構成される。
【００９３】
上記（９）又は（９’）の構成によれば、上述の置換実行時に、燃料弁を閉じ、かつ、不活性ガス弁を開けた状態で、遮断弁を開くようにしたので、燃料ライン内のガスの置換を適切に行うことができる。また、上記（９）又は（９’）の構成によれば、火炎検出器での検出結果から、火炎が形成されないことを確認することにより、燃料ライン内のガスの不活性ガスへの置換が完了したことを適切に判断することができる。よって、上記（１）で述べたように、燃料ライン内のガスを確実に排出して、不活性ガスに置換することができる。
【００９４】
（１０）幾つかの実施形態では、上記（５）乃至（９）の何れかの構成において、
前記制御装置は、
前記複数のバーナの各々について、前記点火指令を送り、前記開指令を前記遮断弁に送り、前記火炎検出器による検知結果を取得する動作を規定回数繰り返し行い、
前記規定回数の検知結果に基づいて、前記燃料ライン内の前記不活性ガスへの置換が完了したことを判断する
ように構成される。
【００９５】
上記（１０）の構成によれば、各バーナについて、遮断弁を開き、点火指令により点火を試み、火炎検出器による検知結果を取得する動作を規定回数繰り返し行うようにしたので、十分な回数だけ上述の動作を繰り返すことにより、燃料ライン内のガスの置換を適切に行うことができる。また、上述の規定回数を十分に大きな回数に設定することで、燃料ライン内のガスの置換の完了を適切に判断することができる。
【００９６】
（１１）幾つかの実施形態では、上記（１０）の構成において、
前記複数のバーナのうち、前記接続位置からの距離が大きい前記バーナについての前記規定回数は、該バーナよりも前記接続位置からの距離が小さい前記バーナについての前記規定回数よりも多く設定される。
【００９７】
上記（１１）の構成によれば、上述の接続位置からの距離が大きいバーナほど、上述の置換実行時に遮断弁に開指令を送る回数を多く設定し、すなわち、遮断弁が開状態となっている時間が長くなるようにしたので、燃料ライン内のガスの置換完了の判断をより適切に行うことができる。
【００９８】
（１２）幾つかの実施形態では、上記（８）乃至（１１）の何れかの構成において、
前記燃焼設備は、
前記燃料ラインに設けられた燃料弁と、
前記不活性ガスラインに設けられた不活性ガス弁と、
を含み、
前記制御装置は、
前記燃料ライン内の前記ガスから前記燃料ガスへの置換実行時、前記不活性ガス弁を閉じ、かつ、前記燃料弁を開けた状態で、前記開指令を前記複数の遮断弁の各々に送って該遮断弁を開き、
前記複数のバーナの各々について、前記火炎検出器により前記バーナに火炎が形成されたことを確認したとき、前記燃料ライン内の前記ガスの前記燃料ガスへの置換が完了したと判断する
ように構成される。
【００９９】
上記（１２）の構成によれば、上述の置換実行時に、不活性ガス弁を閉じ、かつ、燃料弁を開けた状態で、遮断弁を開くようにしたので、燃料ライン内のガスの置換を適切に行うことができる。また、上記（１２）の構成によれば、火炎検出器での検出結果から、火炎が形成されたことを確認することにより、燃料ライン内のガスの燃料ガスへの置換が完了したことを適切に判断することができる。よって、上記（１）で述べたように、燃料ライン内のガスを確実に排出して、燃料ガスに置換することができる。
【０１００】
（１３）幾つかの実施形態では、上記（１２）の構成において、
前記制御装置は、
前記燃料ライン内の前記ガスから前記燃料ガスへの置換実行時、前記複数のバーナの各々について、前記火炎検出器により前記バーナに火炎が形成されたことが確認されるまで、前記点火指令を送り、前記開指令を前記遮断弁に送り、前記火炎検出器による検知結果を取得する動作を繰り返し行うように構成される。
【０１０１】
上記（１３）の構成によれば、上述の置換実行時に、複数のバーナの各々について、バーナで火炎が形成されたことが確認されるまで、点火指令を送り、前記火炎検出器による検知結果を取得する動作を繰り返し行うようにしたので、燃料ライン内のガスの燃料ガスへの置換が完了したことを適切に判断することができる。
【０１０２】
（１４）本発明の少なくとも一実施形態に係る燃焼設備システムは、
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインにそれぞれ設けられた複数の遮断弁と、
上記（１）乃至（１３）の何れかに記載の制御装置と、
を備える。
【０１０３】
上記（１４）の構成によれば、燃料ライン内のガスの置換実行時に、各燃料分岐ラインに設けられた遮断弁を開くようにしたので、上述の置換実行時に、燃料ライン及び燃料分岐ライン内に存在するガスを、遮断弁を介して燃料分岐ラインの下流側に向けて排出することができる。よって、遮断弁よりも上流側に排出管を設ける場合に比べ、排出管と遮断弁との間のガスや、遮断弁よりもバーナ側（下流側）のガスをより確実に排出して、燃料ガス又は不活性ガスに置換することができる。
【０１０４】
（１５）本発明の少なくとも一実施形態に係る燃焼設備の運転方法は、
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインにそれぞれ設けられた複数の遮断弁と、
を含む燃焼設備の運転方法であって、
前記複数の遮断弁が開いた状態で、前記接続位置よりも下流側の前記燃料ライン内のガスを前記燃料ガス又は前記不活性ガスへ置換するステップを備える
ことを特徴とする。
【０１０５】
上記（１５）の方法によれば、燃料ライン内のガスの置換実行時に、各燃料分岐ラインに設けられた遮断弁を開くようにしたので、上述の置換実行時に、燃料ライン及び燃料分岐ライン内に存在するガスを、遮断弁を介して燃料分岐ラインの下流側に向けて排出することができる。よって、遮断弁よりも上流側に排出管を設ける場合に比べ、排出管と遮断弁との間のガスや、遮断弁よりもバーナ側（下流側）のガスをより確実に排出して、燃料ガス又は不活性ガスに置換することができる。
【０１０６】
以上、本発明の実施形態について説明したが、本発明は上述した実施形態に限定されることはなく、上述した実施形態に変形を加えた形態や、これらの形態を適宜組み合わせた形態も含む。
【０１０７】
本明細書において、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
また、本明細書において、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
また、本明細書において、一の構成要素を「備える」、「含む」、又は、「有する」という表現は、他の構成要素の存在を除外する排他的な表現ではない。
【符号の説明】
【０１０８】
１        燃焼設備システム
２        燃焼設備
１０      バーナ
２０      燃料ライン
２２      燃料弁
２４      燃料分岐ライン
２６      遮断弁
３０      空気ライン
３２      空気弁
３４      空気分岐ライン
４０      不活性ガスライン
４２      窒素弁（不活性ガス弁）
５２      圧力センサ
５４      圧力センサ
５６      流量計
５８      流量計
６０      火炎検出器
１００    制御装置
１０１    上位制御部
１０２    バーナ制御部
【図１】
2020034246.tif 000003
【図２】
2020034246.tif 000004
【図３】
2020034246.tif 000005
【図４】
2020034246.tif 000006
【図５】
2020034246.tif 000007
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインの各々にそれぞれ設けられた複数の遮断弁と、
前記燃料ラインに設けられた燃料弁と、
前記不活性ガスラインに設けられた不活性ガス弁と、
前記複数のバーナを制御するためのバーナ制御部と、
を含む燃焼設備の制御装置であって、
前記バーナ制御部は、前記複数の遮断弁の開閉を制御するように構成され、
前記制御装置は、前記接続位置よりも下流側の前記燃料ライン内のガスの前記燃料ガス又は前記不活性ガスへの置換実行時において、前記複数の遮断弁をそれぞれ開くための開指令を、前記バーナ制御部を介して前記複数の遮断弁の各々に送るように構成され、
前記制御装置は、前記燃料ライン内の前記ガスから前記不活性ガスへの置換実行時、前記燃料弁を閉じ、かつ、前記不活性ガス弁を開けた状態で、前記複数の遮断弁をそれぞれ開ける指令を含む点火指令を前記バーナ制御部に送るように構成され、
前記バーナ制御部は、前記制御装置から受け取った前記点火指令に従って、前記開指令を前記複数の遮断弁の各々に送り、該遮断弁を開けるように構成された
ことを特徴とする燃焼設備の制御装置。
【請求項２】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインの各々にそれぞれ設けられた複数の遮断弁と、
前記燃料ラインに設けられた燃料弁と、
前記不活性ガスラインに設けられた不活性ガス弁と、
を含む燃焼設備の制御装置であって、
前記接続位置よりも下流側の前記燃料ライン内のガスの前記燃料ガス又は前記不活性ガスへの置換実行時において、前記複数の遮断弁をそれぞれ開くための開指令を前記複数の遮断弁の各々に送るように構成され、
前記制御装置は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るように構成され、
前記制御装置は、前記燃料ライン内の前記ガスから前記不活性ガスへの置換実行時、前記燃料弁を閉じ、かつ、前記不活性ガス弁を開けた状態で、前記複数の遮断弁をそれぞれ開ける指令を含む点火指令を前記バーナ制御部に送るように構成され、
前記バーナ制御部は、前記制御装置から受け取った前記点火指令に従って、前記開指令を前記複数の遮断弁の各々に送り、該遮断弁を開けるように構成された
ことを特徴とする燃焼設備の制御装置。
【請求項３】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインの各々にそれぞれ設けられた複数の遮断弁と、
を含む燃焼設備の制御装置であって、
前記接続位置よりも下流側の前記燃料ライン内のガスの前記燃料ガス又は前記不活性ガスへの置換実行時において、前記複数の遮断弁をそれぞれ開くための開指令を前記複数の遮断弁の各々に送るように構成され、
前記燃焼設備は、前記複数のバーナで形成された火炎をそれぞれ検知するための複数の火炎検出器を含み、
前記制御装置は、
前記燃料ライン内の前記ガスから前記燃料ガス又は前記不活性ガスへの置換実行時、前記複数の遮断弁をそれぞれ開ける指令を含む点火指令を前記バーナに送るように構成され、
前記複数のバーナの各々について、前記点火指令を送ってから規定時間経過後は、前記火炎検出器で火炎が検出されている間を除き、前記遮断弁を閉じるように構成された
ことを特徴とする燃焼設備の制御装置。
【請求項４】
前記燃焼設備は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るとともに前記点火指令を前記バーナに送るように構成された
ことを特徴とする請求項３に記載の燃焼設備の制御装置。
【請求項５】
前記制御装置は、前記複数のバーナを制御するためのバーナ制御部を含み、
前記バーナ制御部は、前記複数の遮断弁の開閉を制御するように構成され、
前記制御装置は、前記バーナ制御部を介して、前記開指令を前記複数の遮断弁の各々に送るとともに前記点火指令を前記バーナに送るように構成された
ことを特徴とする請求項３に記載の燃焼設備の制御装置。
【請求項６】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインの各々にそれぞれ設けられた複数の遮断弁と、
を含む燃焼設備の制御装置であって、
前記接続位置よりも下流側の前記燃料ライン内のガスの前記燃料ガス又は前記不活性ガスへの置換実行時において、前記複数の遮断弁をそれぞれ開くための開指令を前記複数の遮断弁の各々に送るように構成され、
前記燃焼設備は、前記複数のバーナで形成された火炎をそれぞれ検知するための複数の火炎検出器を含み、
前記制御装置は、
前記複数のバーナの各々に点火指令を送り、
前記開指令を前記複数の遮断弁の各々に送って該遮断弁を開き、
前記複数の遮断弁の各々が開いている状態での前記火炎検出器による検知結果に基づいて、前記燃料ライン内のガスの前記燃料ガス又は前記不活性ガスへの置換が完了したことを判断する
ように構成された
ことを特徴とする燃焼設備の制御装置。
【請求項７】
前記燃焼設備は、
前記燃料ラインに設けられた燃料弁と、
前記不活性ガスラインに設けられた不活性ガス弁と、
を含み、
前記制御装置は、
前記燃料ライン内の前記ガスから前記不活性ガスへの置換実行時、前記燃料弁を閉じ、かつ、前記不活性ガス弁を開けた状態で、前記開指令を前記複数の遮断弁の各々に送って該遮断弁を開き、
前記複数のバーナの各々について、前記火炎検出器により前記バーナに火炎が形成されないことを確認したとき、前記燃料ライン内の前記ガスから前記不活性ガスへの置換が完了したと判断する
ように構成されたことを特徴とする請求項６に記載の燃焼設備の制御装置。
【請求項８】
前記複数のバーナの各々について、前記点火指令を送り、前記開指令を前記遮断弁に送り、前記火炎検出器による検知結果を取得する動作を規定回数繰り返し行い、
前記規定回数の検知結果に基づいて、前記燃料ライン内の前記ガスの前記不活性ガスへの置換が完了したことを判断する
ように構成された
ことを特徴とする請求項３乃至７の何れか一項に記載の燃焼設備の制御装置。
【請求項９】
前記複数のバーナのうち、前記接続位置からの距離が大きい前記バーナについての前記規定回数は、該バーナよりも前記接続位置からの距離が小さい前記バーナについての前記規定回数よりも多く設定された
ことを特徴とする請求項８に記載の燃焼設備の制御装置。
【請求項１０】
前記燃焼設備は、
前記燃料ラインに設けられた燃料弁と、
前記不活性ガスラインに設けられた不活性ガス弁と、
を含み、
前記制御装置は、
前記燃料ライン内の前記ガスから前記燃料ガスへの置換実行時、前記不活性ガス弁を閉じ、かつ、前記燃料弁を開けた状態で、前記開指令を前記複数の遮断弁の各々に送って該遮断弁を開き、
前記複数のバーナの各々について、前記火炎検出器により前記バーナに火炎が形成されたことを確認したとき、前記燃料ライン内の前記ガスの前記燃料ガスへの置換が完了したと判断する
ように構成されたことを特徴とする請求項６乃至９の何れか一項に記載の燃焼設備の制御装置。
【請求項１１】
前記燃料ライン内の前記ガスから前記燃料ガスへの置換実行時、前記複数のバーナの各々について、前記火炎検出器により前記バーナに火炎が形成されたことが確認されるまで、前記点火指令を送り、前記開指令を前記遮断弁に送り、前記火炎検出器による検知結果を取得する動作を繰り返し行う
ように構成された
ことを特徴とする請求項１０に記載の燃焼設備の制御装置。
【請求項１２】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインにそれぞれ設けられた複数の遮断弁と、
請求項１乃至１１の何れか一項に記載の制御装置と、
を備えることを特徴とする燃焼設備システム。
【請求項１３】
燃料ガスが導かれる燃料ラインと、
前記燃料ラインに接続され、不活性ガスが導かれる不活性ガスラインと、
前記燃料ラインと前記不活性ガスラインとの接続位置よりも下流側において前記燃料ラインから分岐し、前記燃料ラインからの前記燃料ガスを複数のバーナにそれぞれ供給するための複数の燃料分岐ラインと、
前記複数の燃料分岐ラインにそれぞれ設けられた複数の遮断弁と、
前記燃料ラインに設けられた燃料弁と、
前記不活性ガスラインに設けられた不活性ガス弁と、
前記複数のバーナを制御するためのバーナ制御部と、
を含む燃焼設備の運転方法であって、
前記燃料弁を閉じ、かつ、前記不活性ガス弁を開けた状態で、前記バーナ制御部に対し、前記複数の遮断弁をそれぞれ開ける指令を含む点火指令を送るステップと、
前記バーナ制御部を介して前記複数の遮断弁をそれぞれ開くための開指令を前記複数の遮断弁の各々に送り、前記複数の遮断弁を開くステップと、
前記複数の遮断弁が開いた状態で、前記接続位置よりも下流側の前記燃料ライン内のガスを前記燃料ガス又は前記不活性ガスへ置換するステップを備える
ことを特徴とする燃焼設備の運転方法。